(57)【特許請求の範囲】
【請求項１】
マスク着用時における眼鏡の曇り防止を図る眼鏡用の曇り防止器具であって、
眼鏡の中央部にある鼻当保持部に係止するための挟持部を少なくとも１以上備えた係止部と、
マスクが浮き上がることを規制する規制部と、
前記係止部と前記規制部を連結する連結部を持ち、
前記規制部は、人の顔の頬部の輪郭をなぞるように湾曲した形状であって、
前記連結部は、前記規制部を前記マスクの上辺に沿って前記マスクを押し付ける位置に配置させるための長さを有し、
前記眼鏡と一体化された重量を、テンプルの耳側端部を支点として前記規制部に作用させ、前記規制部を前記マスクの上辺に沿うように頬に押し付けることで、マスクの上方からの息の排出を防ぎ、前記眼鏡の曇りを防止することを特徴とする眼鏡用曇り防止器具。
【請求項２】
マスク着用時における眼鏡の曇り防止を図る眼鏡用の曇り防止器具であって、
眼鏡の中央部にあるブリッジに下側から挟持して係止するクリップ部を備えた係止構造である係止部と、
マスクが浮き上がることを規制する規制部と、
前記係止部と前記規制部を連結する連結部を持ち、
前記規制部は、人の顔の頬部の輪郭をなぞるように湾曲した形状であって、
前記連結部は、前記規制部を前記マスクの上辺に沿って前記マスクを押し付ける位置に配置させるための長さを有し、
前記眼鏡と一体化された重量を、テンプルの耳側端部を支点として前記規制部に作用させ、前記規制部を前記マスクの上辺に沿うように頬に押し付けることで、マスクの上方からの息の排出を防ぎ、前記眼鏡の曇りを防止することを特徴とする眼鏡用曇り防止器具。
【請求項３】
前記係止部における前記挟持部を複数備え、係る複数の前記挟持部を選択して前記眼鏡を係止することによって、瞳に対するレンズの上下位置を調整可能としたことを特徴とする請求項１に記載の眼鏡用曇り防止器具。
【発明の詳細な説明】
【技術分野】
【０００１】
本発明は、マスク装着時の眼鏡の曇り防止技術に関し、より詳しくは、マスク使用時に、容易、且つ安定して眼鏡のレンズの曇りを防止することが可能であり、また、遠近両用眼鏡使用時には、下向きにならなくても、近くの物を見えやすくすることが可能な眼鏡曇り防止器具の提供を図る。
【背景技術】
【０００２】
従来、鼻や口部分を衛生または防護を目的として、マスクが用いられることがある。マスクは、口と鼻を覆う程度の布を、両耳にかけたゴム紐で顔の口、鼻部分に固定するものであり、鼻や口部分を覆い、かつ、通気を行うものとして、咳を伴う風邪の時や花粉症の季節などでは有効である。さらに近年では、マスクの性能が向上したことで、感染の予防などを目的として、日常的にマスクを着用する人も増えてきている。
【０００３】
しかしながら、眼鏡を装着した使用者がマスクを用いると、マスクの上部から漏れた息により眼鏡のレンズに当たって眼鏡のレンズを曇らせてしまうことがある。そこで、マスクの上部に曲げ形状を作ることで、マスクの上部と顔の隙間を減らすマスクも商品化されているが、隙間を十分に小さくできない場合が多い。
【０００４】
そこで、マスクを着用する際、容易に、且つ安定して眼鏡を装着でき、
マスクの上部と顔の隙間を減らし、眼鏡のレンズの曇りを防止する器具が求められていた。
【０００５】
また、遠近両用眼鏡を使用時において、近くの物を見る際には、近視用のレンズ部である下部側を覗き込むように視線を下げて行う。他方では見ることで、物が見えにくいという問題もある。係る問題はマスク使用時にはさらに視覚範囲内にマスクが入り込むため影響を受ける。そのため、視線を下に向けずに近くの物を見ることが可能な技術が求められていた。
【０００６】
また、マスクと眼鏡を併用する場合の、眼鏡の曇りを防止する技術（特許文献１参照）が提案され、公知技術となっている。より詳しくは、マスクから漏れる息が眼鏡に掛るのを遮断する為に、息を遮断できる器具を作る。金具２枚を曲げ、間にゴムを入れ接肌面にウレタンを張り気密を保持させている。金具をマスクの上部で押さえる形状とし、ゴム紐で後部に引っ張ることで脱落を防ぐものである。
【０００７】
この器具により、マスクの上部と顔の隙間を減らすことができるが、器具自体をゴム紐等の後頭部にかけ、顔に固定する必要があり、使用者は、マスクと当器具と眼鏡を別個に装着しなければならず、煩雑であった。また、当器具が、使用中に上又は下にずれる可能性があり、使用者は、そのたびに、当器具の位置を調整する必要があり、迂遠であった。
そのため、容易に、かつ、安定して眼鏡のレンズの曇りを防止することは困難であり、前記問題の解決には至っていない。
【０００８】
また、メガネをかけてマスクをする時、メガネのレンズが曇らない様に、マスクから漏れる息を、さえぎる仕組みの曇り止め（特許文献２参照）が提案され、公知技術となっている。より詳しくは、鼻から目の下を覆うような立体の板をマスクに取り付け、メガネで押さえて、マスクの隙間から漏れる息がメガネに当たるのを防ぎ、メガネの曇りを防ぐ構造を特徴とするものである。
【０００９】
この器具により、マスクの上部と顔の隙間を減らすことができるが、器具自体は眼鏡、マスクと独立しており、使用者は、マスクと当器具と眼鏡を別個に装着しなければならず、煩雑であった。また、当器具が、使用中に上又は下にずれる可能性があり、使用者は、そのたびに、当器具の位置を調整する必要があり、迂遠であった。
そのため、容易に、かつ、安定して眼鏡のレンズの曇りを防止することは困難であり、前記問題の解決には至っていない。
【００１０】
本願発明者はそれらの問題を解決しようと、眼鏡に装着するマスク押さえ構造に着目し、「眼鏡曇り防止器具」の提案に至るものである。
【先行技術文献】
【特許文献】
【００１１】
【特許文献１】特開２００７−２８３０４５
【特許文献２】特開２００９−２２６１８３
【発明の概要】
【発明が解決しようとする課題】
【００１２】
本発明は上記問題点に鑑み、マスク使用時に、容易に、かつ、安定して眼鏡のレンズの曇りを防止することか可能であり、また、遠近両用眼鏡使用時には、下向きにならなくても、近くの物を見えやすくすることが可能な眼鏡曇り防止器具の提供を図る。
【課題を解決するための手段】
【００１３】
本発明は、マスク着用時における眼鏡の曇り防止を図る眼鏡用の曇り防止器具であって、眼鏡の中央部にある鼻当保持部に係止するための挟持部を少なくとも１以上備えた係止部と、マスクが浮き上がることを規制する規制部と、前記係止部と前記規制部を連結する連結部を持ち、前記規制部は人の顔の頬部の輪郭をなぞるように湾曲した形状であって、前記連結部は、前記規制部を前記マスクの上辺に沿って前記マスクを押し付ける位置に配置させるための長さを有し、前記眼鏡と一体化された重量を、テンプルの耳側端部を支点として前記規制部に作用させ、前記規制部を前記マスクの上辺に沿うように頬に押し付けることで、マスクの上方からの息の排出を防ぎ、前記眼鏡の曇りを防止する構成手段を採用した。
【００１５】
また本発明は、マスク着用時における眼鏡の曇り防止を図る眼鏡用の曇り防止器具であって、  眼鏡の中央部にあるブリッジに下側から挟持して係止するクリップ部を備えた係止構造である係止部と、マスクが浮き上がることを規制する規制部と、前記係止部と前記規制部を連結する連結部を持ち、前記規制部は、人の顔の頬部の輪郭をなぞるように湾曲した形状であって、前記連結部は、前記規制部を前記マスクの上辺に沿って前記マスクを押し付ける位置に配置させるための長さを有し、前記眼鏡と一体化された重量を、テンプルの耳側端部を支点として前記規制部に作用させ、前記規制部を前記マスクの上辺に沿うように頬に押し付けることで、マスクの上方からの息の排出を防ぎ、前記眼鏡の曇りを防止する構成手段を採用することもできる。
【００１７】
また、本発明は、前記係止部における前記挟持部を複数備え、係る複数の前記挟持部を選択して前記眼鏡を係止することによって、瞳に対するレンズの上下位置を調整可能とする構成手段を採用することもできる。なお、この場合、特に遠近両用眼鏡に使用すれば、挟持部を付け替えることで遠近を切り替えることができる。
【発明の効果】
【００１８】
本発明に係る眼鏡曇り防止器具によれば、容易に、かつ、安定してマスク使用時の眼鏡のレンズの曇りを防止することが可能であり、眼鏡装着時も快適にマスクを使用することができるものである。
また、遠近両用眼鏡使用時に近くの物を見えやすくすることができるものである。
【図面の簡単な説明】
【００１９】
【図１】本発明に係る眼鏡曇り防止器具の全体構成を示す説明図。
【図２】本発明に係る眼鏡曇り防止器具を眼鏡に装着した状態の配置構成平面図。
【図３】本発明に係る眼鏡曇り防止器具を眼鏡に装着した状態の配置構成斜視図。
【図４】発明に係る係止部における、他の形状説明図。
【図５】本発明に係る眼鏡取付位置調整機構を備えた場合の全体構成説明図。
【図６】本発明に係る眼鏡取付位置調整機構を備えた場合の使用状態説明図。
【図７】本発明に係る眼鏡曇り防止器具を眼鏡及び人に装着した状態で機能説明図。
【発明を実施するための形態】
【００２０】
本発明に係る眼鏡曇り防止器具は、眼鏡の鼻当保持部に代えて、規制部４が頬に当接されて眼鏡全体の位置を保持するとこでマスクと頬の隙間を塞ぎ、曇りを防止することを最大の特徴とする。以下、実施例を図面に基づいて説明する。
なお、本実施例で示される眼鏡曇り防止器具の全体形状及び各部の形状は、下記に述べる実施例に限定されるものではなく、本発明の技術的思想の範囲内、即ち、同一の作用効果を発揮できる形状及び寸法の範囲内で変更することができるものである。
【実施例１】
【００２１】
図１から図３にしたがって、本発明を説明する。
図１は、本発明の正面図及び平面図である。図２は、本発明と眼鏡の関係を示す図である。図３は、本発明に係る眼鏡とマスクを使用した図である。
眼鏡曇り防止器具１は、係止部２、連結部３と規制部４とから構成されている。全体は、弾力のある金属の線材を曲げ加工することで、構成されている。概ね左右対称であり、上部に、眼鏡の中央部を係止する係止部２と、下部にマスクの浮き上がりを規制する規制部４と、係止部２と規制部４を連結する連結部３からなる。
材質は、硬鋼線、ピアノ線、ステンレス鋼線、クロム鋼線等のばねで使用する素材が好適である。形状記憶特性を備えた金属素材であればより好ましく、金属の線材を用いることで、軽量で、コンパクトな器具とすることが出来る。また、弾力性が担保できれば図５（ｂ）に示したような樹脂等であってもよい。
【００２２】
係止部２は、眼鏡曇り防止器具１を眼鏡１０に係止する部分である。より詳しくは、眼鏡１０の鼻当保持部１２を挟み込むことで、眼鏡曇り防止器具１を眼鏡１０に係止する。鼻当保持部１２は、鼻当１３を保持する構造であり、眼鏡１０と使用者１７の間を一定に保つ機能も持つことから、ある程度の強度を持ち、且つ、眼鏡１０の正面から見えにくい細い小さな構造であることが多い。係止部２は、挟持部５を備える。挟持部５は、上部を支点として、鼻当保持部１２を挟み込む構造である。挟持部５は、係止部２の両端に配置され、眼鏡１０の両方の鼻当保持部１２を挟持する。また、挟持部５は、鼻当保持部１２を挟み込んだ後、挟持部５から鼻当保持部１２がはずれることを防ぐために、脱落防止用のL字部分５０１を持つ。鼻当保持部１２は、挟持部５からはずれそうになっても、L字部分５０１に引っ掛かり、はずれない。
【００２３】
規制部４は、マスク１６の浮き上がりを防止するものであり、概ね、マスクの上部付近に当接する位置に配置される。規制部４は、左右に１つずつあり、先端は、顔等を傷つけないように、丸み処理をされている。規制部４の形状は、マスクとマスクが当たる頬に全体が当接するように、若干、曲線状になっている。
【００２４】
連結部３は、係止部２と規制部４を連結する部分である。係止部２は眼鏡１０の中央部の鼻当保持部１２に係止されており、規制部４は左右の頬の位置にあることから、係止部２から左右に広がるような構造である。係止部２付近から、すぐに左右に広げてしまうと、左右のレンズ１５と連結部３が重なり、視認性に影響が出てしまうので、連結部３の広がり方は、徐々に広がることが望ましく、概ね、鼻の形状に沿ったものが望ましい。
【００２５】
次に、眼鏡曇り防止器具１と眼鏡１０の関係について、図２に沿って説明する。上記のように、眼鏡曇り防止器具１の挟持部５によって、眼鏡曇り防止器具１と眼鏡１０は固定される。左右の鼻当保持部１２はある程度の距離を持って配置されていることから、両方の鼻当保持部１２を挟持部５で挟むことで、安定して、眼鏡曇り防止器具１を眼鏡１０に固定することができる。また、眼鏡１０に眼鏡曇り防止器具１をつけた状態で正面から見ると、鼻当保持部１２と眼鏡曇り防止器具１の係止部２が重なり、隠れることから、見た目の品位の劣化を防止することができる。また、連結部３、規制部４は、細い線状であることから、これも、見た目の品位への影響は少ない。
【００２６】
次に、眼鏡曇り防止器具１とマスク１６の関係について図３を用いて説明する。上記のように、眼鏡曇り防止器具１の挟持部５によって、眼鏡曇り防止器具１と眼鏡１０は安定して固定され、ほぼ、眼鏡１０と一体となる。使用者１７がマスク１６をつけ、その後、眼鏡曇り防止器具１を付けた眼鏡１０を装着すると、規制部４は、眼鏡曇り防止器具１及び、これと一体となった眼鏡１０の重さによってマスク１６の上部に当接し、マスク１６が顔から離れることを規制することができる。その際、規制部４をマスク１６に押し付ける力は、眼鏡１０を装着する際の眼鏡１０のテンプル１８により耳を支点として係止部２を回動させるように働き、規制部４は使用者１７の頬に押し込むように作用する。また、規制部４は、マスク１６の上部のほとんどを当接する長さであることから、マスク１６の上部をしっかりと押さえることが出来、マスク１６の上部から息が漏れることを防ぐことができる。
【００２７】
このように、本発明に係る眼鏡曇り防止器具１によれば、眼鏡１０に容易に装着でき、マスクによる眼鏡の曇り防止を安定して行うことが出来る。また、眼鏡曇り防止器具１は、極めてコンパクトで、目立たないことから、眼鏡曇り防止器具１を装着しても、見た目の品位の劣化が少なく、使用者の利便性に供するものである。
【実施例２】
【００２８】
他の実施例について図４を用いて説明する。実施例１と同様の部分は省略する。
図４（ａ）は、ブリッジ１１に下から係止する構造を示す図である。図４（ｂ）は、ブリッジ１１に上から係止する構造を示す図である。  
実施例１では、鼻当保持部１２を挟む構造としたが、眼鏡１０の中央部に係止するのであれば、他の部分を係止しても良い。係止部２にクリップ部６を設け、眼鏡１０のブリッジ１１に下から挟みこむ構造としても良い（図４（ａ））。このようにクリップ構造とすることで、全体を樹脂構造とした場合も安定した係止を行うことができる。
【００２９】
また、係止部２にクリップ部６を設け、眼鏡１０のブリッジ１１に上から挟みこむ構造としても良い（図４（ｂ））。このような構造とすることで、全体を樹脂構造とした場合も安定した係止を行うことができるし、眼鏡曇り防止器具１の自重で、眼鏡曇り防止器具１の眼鏡１０への係止を補助する効果もあるので好適である。
【実施例３】
【００３０】
遠近両用眼鏡着用時の実施例について図５及び図６を用いて説明する。実施例１、２と同様の部分は省略する。図５は、本発明に係る眼鏡取付位置調整機構を備えた構成を採用する場合の全体構成説明図であり、図５（ａ）は素材に線材を用いた場合を例示し、図５（ｂ）は、素材に樹脂等の薄板材を用いた場合を例示している。
図６は、本発明に係る眼鏡取付位置調整機構を備えた場合の使用状態説明図である。
図５及び図６は、いずれも係止部２に挟持部５が複数設けられている構造を示す図であり、遠近両用眼鏡装着時において、レンズ１５下部の近視用レンズ１９で見る場合は上部の挟持部５を用い、レンズ１５上部の遠視用レンズ２０で見る場合は下部の挟持部５を用いることで見えやすくすることが可能になる。なお、近年の遠近両用レンズは遠視用の度数と近視用の度数との境目をなくして徐々に変化せせるものや、高加入度と低加入度との極端な差をなくすために中加入度領域を設けているものもあるが、いずれの構成にしても図６（ａ）に示したように、近いものを見るときには下向きの視線となり、長時間の読書などでは目が疲れてしまう。本願発明に係る眼鏡曇り防止器具１によれば、眼鏡取付位置調整機構を備えた構成とすることで、例えば運転するときには図６（ａ）の位置とし、新聞や小説など長い文章を長時間読むと見には図６（ｂ）の位置とする。
【００３１】
図７は、本発明に係る眼鏡曇り防止器具1を、眼鏡１０に装着した状態での機能説明図であり、図７（ａ）は正面から見た装着状態を示し、図７（ｂ）は側面から見た装着状態をそれぞれ示している。図7に示すように、本発明に係る眼鏡曇り防止器具１は、テンプル１８の後端を支点として、略一体となった眼鏡１０と本発明に係る眼鏡曇り防止器具１の重量によって、連結部３が回動されるように力が作用し、係る連結部３は規制部４を頬に押し当てるように力が作用する。
【産業上の利用可能性】
【００３２】
以上のように、本発明に係る眼鏡曇り防止器具１よれば、眼鏡１０に容易に装着でき、マスク１６による眼鏡１０の曇り防止を安定して行うことが出来る。また、眼鏡曇り防止器具１は、極めてコンパクトで、目立たないことから、眼鏡１０に装着しても、見た目の品位を下げることなく、使用者の利便性に供するものであることから、産業上の利用可能性は大きいと思量する。
【符号の説明】
【００３３】
１  眼鏡曇り防止器具
２  係止部
３  連結部
４  規制部
５  挟持部
６  クリップ部
１０  眼鏡（メガネ）
１１  ブリッジ
１２  鼻当保持部
１３  鼻当
１４  レンズ枠
１５  レンズ
１６  マスク
１７  使用者
１８  テンプル
１９  近視用レンズ
２０  遠視用レンズ
３０  息
５０１  L字部分
【図１】
0005876531.tif 000002
【図２】
0005876531.tif 000003
【図３】
0005876531.tif 000004
【図４】
0005876531.tif 000005
【図５】
0005876531.tif 000006
【図６】
0005876531.tif 000007
【図７】
0005876531.tif 000008